(57)【要約】【課題】  注入作業をする場合、注入装置や注入弁から手が放せる。【解決手段】  被注入体に設置されて被注入体の内外を連通させると共に、注入装置の流体を導出するためのプラグ体を受けるソケット体と、ソケット体内に設置されていて該ソケット体をプラグ体を受ける外室とその連通孔を経由して外室と連通している内室とに分けた連通孔付きの弁座と、弁座の連通孔を貫通してその一端部が外室の方にあり、他端部が内室の方にあり、且つ、その全体がいつも外側へ付勢されるように設置されている付勢手段付きの弁棒と、弁棒の他端部に固定されていて常時弁座と当接して連通孔を閉じる弁体とからなっており、外室に注入装置のプラグ体を挿入されると弁棒の一端部が内側へ押されて弁体が開けられる注入弁において、ソケット体は、挿入されるプラグ体を脱着可能に係止することができるように構成されている。【選択図】    図１
2007040475.tif 000002
【特許請求の範囲】
【請求項１】
被注入体に設置されて該被注入体の内外を連通させると共に、注入装置の流体を導出するためのプラグ体を受けるソケット体と、
前記ソケット体内に設置されていて該ソケット体を前記プラグ体を受ける外室とその連通孔を経由して前記外室と連通している内室とに分けた連通孔付きの弁座と、
前記弁座を出入り自在に貫通してその一端部が前記外室側にあり、他端部が前記内室側にあり、且つ、その全体がいつも外側へ付勢されるように設置されている付勢手段付きの弁棒と、
前記弁棒の前記他端部に固定されていて常時前記弁座と当接して前記連通孔を閉じる弁体とからなっており、
前記外室に注入装置のプラグ体を挿入されると前記弁棒の一端部が内側へ押されて前記弁体が開けられる注入弁において、
前記ソケット体は、挿入されるプラグ体を脱着可能に係止することができるように構成されていることを特徴とする注入弁。
【請求項２】
被注入体に設置されて該被注入体の内外を連通させると共に、注入装置の流体を導出するためのプラグ体を受けるソケット体と、
前記ソケット体内に設置されていて該ソケット体を前記プラグ体を受ける外室とその連通孔を経由して前記外室と連通している内室とに分けた連通孔付きの弁座と、
前記弁座を出入り自在に貫通してその一端部が前記外室側にあり、他端部が前記内室側にあり、且つ、その全体がいつも外側へ付勢されるように設置されている付勢手段付きの弁棒と、
前記弁棒の前記他端部に固定されていて常時前記弁座と当接して前記連通孔を閉じる弁体とからなり、
前記外室に注入装置のプラグ体を挿入されると前記弁棒の一端部が内側へ押されて前記弁体が開けられる注入弁において、
前記ソケット体は、挿入される前記プラグ体を脱着可能に係止することができ、且つ、前記内室はその内側がラッパ口のように後へ広がっており、前記弁体は、常時前記弁座と当接している際、前記内室のラッパ口と密接することができる形状に構成されていることを特徴とする注入弁。
【請求項３】
被注入体に設置されて該被注入体の内外を連通させると共に、注入装置の流体を導出するためのものであり、且つその外周面に突起を設けたプラグ体を受けるソケット体と、
前記ソケット体内に設置されていて該ソケット体を前記プラグ体を受ける外室とその連通孔を経由して前記外室と連通している内室とに分けた連通孔付きの弁座と、
前記弁座を出入り自在に貫通してその一端部が前記外室側にあり、他端部が前記内室側にあり、且つ、その全体がいつも外側へ付勢されるように設置されている付勢手段付きの弁棒と、
前記弁棒の前記他端部に固定されていて常時前記弁座と当接して前記連通孔を閉じる弁体とからなり、
前記外室に注入装置のプラグ体を挿入されると前記弁棒の一端部が内側へ押されて前記弁体が開けられる注入弁において、
前記ソケット体は、その内周面に、挿入される前記プラグ体の前記突起をまず外側から内側へそしてまた周方向へと案内する係止溝が形成してあり、それにより挿入される前記プラグ体を脱着可能に係止することができることを特徴とする注入弁。
【請求項４】
被注入体に設置されて該被注入体の内外を連通させると共に、注入装置の流体を導出するためのその外周面に突起を設けたプラグ体を受けるソケット体と、
前記ソケット体内に設置されていて該ソケット体を前記プラグ体を受ける外室とその連通孔を経由して前記外室と連通している内室とに分けた連通孔付きの弁座と、
前記弁座を出入り自在に貫通してその一端部が前記外室側にあり、他端部が前記内室側にあり、且つ、その全体がいつも外側へ付勢されるように設置されている付勢手段付きの弁棒と、
前記弁棒の前記他端部に固定されていて常時前記弁座と当接して前記連通孔を閉じる弁体とからなり、
前記外室に注入装置のプラグ体を挿入されると前記弁棒の一端部が内側へ押されて前記弁体が開けられる注入弁において、
前記ソケット体は、その内周面に、挿入される前記プラグ体の前記突起をまず外側から内側へそしてまた周方向へと案内する係止溝が形成してあり、それにより挿入されるプラグ体を脱着可能に係止することができ、且つ、前記内室はその内側がラッパ口のように後へ広がっており、前記弁体は、常時前記弁座と当接している際、前記内室のラッパ口と密接することができる形状に構成されていることを特徴とする注入弁。
【発明の詳細な説明】
【技術分野】
【０００１】
本発明は、注入弁に関わり、特に、被注入体に設置されて注入装置からの流体を受けて被注入体に導入する注入弁に関わる。
【背景技術】
【０００２】
従来の注入弁１は、例えば、図７に示すようなエアクッションなどの被注入体２に注入口としてよく設置され使用されている。
【発明の開示】
【発明が解決しようとする課題】
【０００３】
この従来の注入弁１では、その開口１１に注入装置３の流体を導出するためのプラグ体３１を入れてエアなどを被注入体２に注入する時、エア注入時の振動などにより注入装置３のプラグ体３１が注入弁１の開口１１から離れ易いので、注入を終えるまで注入装置３をしっかり握り締めらなければならないという欠点がある。
また、図８に示すように、従来の注入弁１のプラグ体３１を受けるためのソケット体１２は、後方へ円筒体になるように延びていてその後端縁を弁座１３とし、閉弁時に扁平状の弁体１４と一環しか接触せず、そこに髪などのような微細な異物が挟まれると、隙間ができて漏れ易いという欠点もある。
【０００４】
上記に鑑みて、本発明は、注入作業をする場合、注入装置や注入弁から手が放せる注入弁を提供することを第一の目的とする。
そして、本発明は、更に、閉弁時の接触が従来のような一環だけでなく、また、漏れを阻止する関門も弁体と弁座との間の密接だけによるのではなく、どこかで異物を挟むと、大したものでなければ漏れをもたらさない注入弁を提供することを第二の目的とする。
【課題を解決するための手段】
【０００５】
上記第１の目的を達成するために、本発明は、まず、被注入体に設置されて該被注入体の内外を連通させるうえ、注入装置の流体を導出するためのプラグ体を受けるソケット体と、前記ソケット体内に設置されていて該ソケット体を前記プラグ体を受ける外室とその連通孔を経由して前記外室と連通している内室とに分けた連通孔付きの弁座と、前記弁座を出入り自在に貫通してその一端部が前記外室側にあり、他端部が前記内室側にあり、且つ、その全体がいつも外側へ付勢されるように設置されている付勢手段付きの弁棒と、前記弁棒の前記他端部に固定されていて常時前記弁座と当接して前記連通孔を閉じる弁体とからなり、前記外室に注入装置のプラグ体を挿入されると前記弁棒の一端部が内側へ押されて前記弁体が開けられる注入弁において、前記ソケット体は、挿入されるプラグ体を脱着可能に係止することができるように構成されていることを特徴とする注入弁を提供し、また、それに基づいて、被注入体に設置されて該被注入体の内外を連通させるうえ、注入装置の流体を導出するためのものであり、且つその外周面に突起を設けたプラグ体を受けるソケット体と、前記ソケット体内に設置されていて該ソケット体を前記プラグ体を受ける外室とその連通孔を経由して前記外室と連通している内室とに分けた連通孔付きの弁座と、前記弁座を出入り自在に貫通してその一端部が前記外室側にあり、他端部が前記内室側にあり、且つ、その全体がいつも外側へ付勢されるように設置されている付勢手段付きの弁棒と、前記弁棒の前記他端部に固定されていて常時前記弁座と当接して前記連通孔を閉じる弁体とからなり、前記外室に注入装置のプラグ体を挿入されると前記弁棒の一端部が内側へ押されて前記弁体が開けられる注入弁において、前記ソケット体は、その内周面に、挿入されるプラグ体の前記突起をまず外側から内側へそしてまた周方向へと案内する係止溝が形成してあり、それにより挿入されるプラグ体を脱着可能に係止することができることを特徴とする注入弁をも提供する。
【０００６】
また、上記第２の目的を達成するために、本発明は、さらに、前記いずれかの構造に基づいて、前記内室はその内側がラッパ口のように後へ広がっており、前記弁体は、常時前記弁座と当接している際、前記内室のラッパ口と密接することができる形状に構成されていることを特徴とする注入弁を提供する。
【発明の効果】
【０００７】
本発明に係る注入弁は、そのソケット体が、注入装置の挿入されるプラグ体を脱着可能に係止することができるように構成されているので、注入を終えるまでずっと手で注入装置や注入弁をしっかり握り締める必要がない。
また、そのソケット体の内室の内側がラッパ口のように後方へ広がっており、且つその弁体が、常時弁座と当接している際、内室のラッパ口と密接することができる形状に構成されているので、閉弁のための密接は、弁体と弁座との間の接触だけでなく、弁体とソケット体の後端部とも密接になって第２の関門となり、注入弁の気密性や水密性を向上させることができる。
【発明を実施するための最良の形態】
【０００８】
以下、図面を参照しながら，本発明に係る注入弁の実施形態を説明する。
まず、本実施形態に係る注入弁４は、図１乃至図３に示すように、被注入体としてのエアクッション５に設置されてエアクッション５の内外を連通させると共に、注入装置６の流体（ここでは気体である）を導出するためのものであり、且つその外周面に突起６１１を設けたプラグ体６１を受けるソケット体４１と、ソケット体４１内に設置されていてソケット体４１をプラグ体６１を受ける外室４１１とその連通孔４２１を経由して外室４１１と連通している内室４１２とに分けた連通孔４２１付きの弁座４２と、弁座４２を出入り自在に貫通してその両端部がそれぞれ外室４１１側及び内室４１２側にあり、且つ、その全体がいつも外側へ付勢されるように設置されている付勢手段４３２付きの弁棒４３と、弁棒４３の一端部に固定されていて常時弁座４２と当接して連通孔４２１を閉じる弁体４４とからなっている。
【０００９】
ソケット体４１は、主として円筒体になっているが、その（内室４１２の）内側がラッパ口のように後方へ広がって内開口４１６となっており、その（外室４１１の）外側が外方へ向かう外端面４１４と外端面４１４のほぼ中央にある外開口４１５とを有するようになっており、また、円筒体周面の外端面４１４近くに、それを介して熱圧などによりエアクッション５に固定されソケット体４１全体をエアクッション５に固定するためのフランジ部４１３が張設されている。そして、ソケット体４１の外室４１１側の内周面に、挿入されるプラグ体６１の突起６１１をまず外側から内側へそしてまた周方向へと案内する係止溝４１７が二つ対称的に配置形成されている。即ち、係止溝４１７はＬ字形になっており、それにより挿入されるプラグ体６１の突起６１１を案内してから係止し、プラグ体６１を脱着可能にロックすることができる。もちろん、係止溝４１７が、対称的な二つでなく、二つ以上、例えば均等に配置された三つまたは四つでも良く、一つしか設置しなくても良い場合もある。
【００１０】
本実施形態においては、弁座４２はソケット体４１の内周面におけるラッパ口の根元近くに内開口４１６と同軸になるように設置されている。弁座４２の連通孔４２１は、複数あり、弁座４１の軸に周るように配置されている。
また、弁棒４３の外室４１１内にある一端部に、挿入されるプラグ体６１の押圧を受けて弁体４４に伝え、弁座４２から離間して弁座４２の連通孔４２１を開けるトリガー部材４３１が、ソケット体４１内の軸方向に移動自在に固定されている。本実施形態の付勢手段４３２は、コイルばねを、その両端がそれぞれトリガー部材４３１及び弁座４２に当接していて常時トリガー部材４３１側に自然に展開して弁体４４で弁座４２の連通孔４３１を閉じるように配置しているが、これに限定されて解釈されるものではない。
【００１１】
弁体４４は弁棒４３の内室４１２側にある端部に固定されていて、付勢手段４３２の弁棒４３を外側へ付勢させる力で常時弁座４２と当接させられ連通孔４２１を閉じる。また、図示のように、弁体４４は、その先端面で弁座４２と当接している際、その周面で内室４１２のラッパ口と密接することができる形状に構成されている。
更に、注入弁４はその連結環部４５１によりソケット体４１の外周面の外開口４１５近くに形成された嵌合溝４１８に嵌入固定されていてソケット体４１の外開口４１５を閉めることができる保護カーバ４５を含んでいる。
【００１２】
図２乃至図５に示すように、流体をエアクッション５に注入させる時、まず、突起６１１をそれぞれ係止溝４１７に対応し係止させ、プラグ体６１をソケット体４１の外室４１１内に入れ（図２、図４参照）、この時、特に図５を参照して、プラグ体６１の挿着によりトリガー部材４３１が付勢手段４３２を圧縮しながら内室４１２へ押されて、弁座４２に密着している弁体４４が弁棒４３に連動し連通孔４２１を開放するように開けられる。それにより、注入した流体が開いた連通孔４２１を経由してエアクッション５内に充填することができる。また、注入後、プラグ体６１をソケット体４１から抜き出すと、弁棒４３が付勢手段４３２の圧縮による復元力で外側へ元の位置に戻ると共に、弁体４４が連通孔４２１を閉じるように弁座４２に当接する。従って、閉弁の際、漏れを阻止する関門は弁体４４と弁座４２との間の密接だけによるのではなく、弁体４４が内室４１２のラッパ口と密接することができる形状にも構成されているので、第二の関門となり漏れにくいという利点がある。
【００１３】
また、プラグ体６１の外周面に突起６１１を設けていない場合、図６に示すように、注入装置６のプラグ体６１に脱着可能に設けられる突起７１つきのブリッジ部材７を使用し解決してもよい。
【産業上の利用可能性】
【００１４】
本発明に係る注入弁は、お互いに脱着可能に係止できる係止溝をソケット体に、突起をプラグ体にそれぞれ設置することにより、注入作業をする場合、注入装置や注入弁から手を放すことができる。なお、そのソケット体の後端部は円筒体の代わりにラッパ口のようになっており、且つ弁体が閉弁時その端面で弁座における連通孔を閉じると共にソケット体のラッパ口と密接することができる形状に構成されているので、漏れを阻止する関門が従来より増加し気密性や水密性を向上させることができる。
【図面の簡単な説明】
【００１５】
【図１】本発明の実施形態に係る注入弁の要部を示す分解斜視図である。
【図２】図１に示す注入弁を被注入体に取り付けた状態を示す断面図である。
【図３】図１に示す注入弁及び注入装置を被注入体に取り付けた状態を示す斜視図である。
【図４】図１に示す注入弁を被注入体の外側から見た状態を示す正面図である。
【図５】注入装置からの気体を被注入体内に注入する場合の図１に示す注入弁の作動状態を示す断面図である。
【図６】本発明の実施形態に係る注入弁と他の注入装置を示す斜視図である。
【図７】従来の注入装置及び被注入体を示す概略的斜視図である。
【図８】従来の注入弁の要部に示す断面図である。
【符号の説明】
【００１６】
４  注入弁
４１  ソケット体
４１１  外室
４１２  内室
４１３  フランジ部
４１４  外端面
４１５  外開口
４１６  内開口
４１７  係止溝
４１８  嵌合溝
４２  弁座
４２１  連通孔
４３  弁棒
４３１  トリガー部材
４３２  付勢手段
４４  弁体
４５  保護カーバ
４５１  連結環部
５  エアクッション
６  注入装置
６１  プラグ体
６１１  突起
７  ブリッジ部材
７１  突起
【図１】
2007040475.tif 000003
【図２】
2007040475.tif 000004
【図３】
2007040475.tif 000005
【図４】
2007040475.tif 000006
【図５】
2007040475.tif 000007
【図６】
2007040475.tif 000008
【図７】
2007040475.tif 000009
【図８】
2007040475.tif 000010